(57)【特許請求の範囲】
【請求項１】
水和反応によって発熱する発熱物質を熱源とし、炭酸塩及び有機酸を含有する熱刺激治療器。
【請求項２】
発熱物質が、水への標準溶解エンタルピーが−４００〜−５ｋＪ／ｍｏｌ（２５℃）の無機塩又は活性化ゼオライトである請求項１記載の熱刺激治療器。
【発明の詳細な説明】
【０００１】
【発明の属する技術分野】
本発明は、火を使わずに手軽に利用でき、温熱効果に優れた熱刺激治療器に関する。
【０００２】
【従来の技術】
皮膚表面の局所を熱刺激する手軽な療法として、モグサ灸、温灸等の温熱療法が知られている。しかし、これらの温熱療法では、着火のための火を必要とし、火傷をおこす虞れがある。また、鉄の酸化反応を利用するカイロなどもあるが、モグサ灸に比べ発熱に時間がかかり、施灸効果も十分でない。
【０００３】
【発明が解決しようとする課題】
本発明の目的は、火を使わずに手軽に利用でき、温熱効果に優れた熱刺激治療器を提供することにある。
【０００４】
【課題を解決するための手段】
本発明者らは、水和反応によって発熱する発熱物質を熱源とすれば、火を使わずに手軽に利用でき、温熱効果に優れた熱刺激治療器が得られることを見出した。
【０００５】
【発明の実施の形態】
本発明で用いる発熱物質は水和反応によって発熱するものであり、例えば種々の無機塩、活性化ゼオライト、アルコール類（エタノール、プロピレンアルコール、グリセリン、ポリエチレングリコール等）等が挙げられる。中でも無機塩及び活性化ゼオライトが好ましい。なお無機塩、活性化ゼオライトは無水塩、含水塩のいずれでもよい。
【０００６】
無機塩及び活性化ゼオライトは、３７〜５５℃の発熱体が好ましい。そこで無機塩は、水への標準溶解エンタルピー（２５℃）が−４００〜−５ｋＪ／ｍｏｌ、特に−２００〜−１０ｋＪ／ｍｏｌが好ましい。ここで標準溶解エンタルピーとは、液体、固体において、０．１ＭＰａの標準状態にある純物質１ｍｏｌが等温的に水に溶解し、標準状態の溶液を生じた際の溶質１ｍｏｌ当りの溶解エンタルピーを意味し、吸熱を正、発熱を負で示す。具体的には無機塩としては、例えば硫酸マグネシウム（ＭｇＳＯ4 、ＭｇＳＯ4・Ｈ2Ｏ、ＭｇＳＯ4・４Ｈ2Ｏ）、硫酸アルミニウム（Ａｌ2（ＳＯ4）3）、硫酸カルシウム（ＣａＳＯ4、ＣａＳＯ4・１／２Ｈ2Ｏ、ＣａＳＯ4・２Ｈ2Ｏ）等の硫酸塩、塩化カルシウム（ＣａＣｌ2 、ＣａＣｌ2・Ｈ2Ｏ、ＣａＣｌ2・２Ｈ2Ｏ）、塩化マグネシウム（ＭｇＣｌ2 、ＭｇＣｌ2・２Ｈ2Ｏ、ＭｇＣｌ2・４Ｈ2Ｏ）、塩化アルミニウム（ＡｌＣｌ3 、ＡｌＣｌ3・６Ｈ2Ｏ）等の塩化物、その他乾燥ミョウバン、酸化カルシウム、炭酸ナトリウム、炭酸カリウム、リン酸水素ナトリウム等がある。
【０００７】
また活性化ゼオライトとしては特に制限はないが、入手の容易性、経済性等からＮａ2Ｏ・Ａｌ2Ｏ3・２ＳｉＯ2・ＺＨ2Ｏ（Ｚは任意の数を示す。）で表されるゼオライトＡ−３、Ａ−４、Ａ−５が好ましい。またイオン交換、中性化処理等の特殊処理したゼオライトでもよい。
【０００８】
なおこれらの発熱物質の発熱量は、その物質固有であり、一般に同一無機物では結晶水の少ないものほど発熱量は大きい。本発明では、上記発熱物質を１種以上用いる。これら発熱物質の発熱体中の含有量は、例えば５〜９０重量％、特に１０〜８０重量％が好ましい。
【０００９】
またこれらの発熱物質は、急激な水和反応防止から、水溶性高分子で常法にて表面処理するのが好ましい。ここで水溶性高分子とは、例えばポリエチレングリコール、デキストリン、キサンタンガム、デンプン、グァーガム、カラギーナン、寒天、マンナン、ゼラチン、コラーゲン、メチルセルロース、エチルセルロース、カルボキシメチルセルロース、カゼイン、アルギン酸、ポリビニルアルコール、ポリアクリル酸塩、可溶性デンプン、アルブミン、アルギン酸塩等が挙げられ、これらを１種以上用い得る。水溶性高分子の発熱体中の含有量は特に制限はないが、例えば０．０１〜３５重量％、特に１〜２５重量％が好ましい。
【００１０】
本発明では、発熱体中に更に炭酸塩及び有機酸を加え、使用時に炭酸ガスを発生させるのが好ましい。炭酸ガスを発生させることで、発熱物質の水分による凝集や水和反応の抑制を防止し、十分な温熱効果が得られる。また炭酸塩と有機酸との反応が吸熱反応である場合、局所的な発熱物質の水和反応による温度変化を穏やかにし、発熱体の温度をほぼ一定温度に制御することができる。
【００１１】
炭酸塩には、例えば炭酸ナトリウム、炭酸水素ナトリウム、炭酸マグネシウム、炭酸カリウム、炭酸水素カリウム、セスキ炭酸ナトリウム等が挙げられる。本発明では、これらの炭酸塩を１種以上用い得る。有機酸には、例えばコハク酸、フマル酸、リンゴ酸、アジピン酸、酒石酸、クエン酸、マロン酸、マレイン酸等がある。本発明では、これらの有機酸を１種以上用い得る。また、かかる炭酸塩及び有機酸は水溶性高分子で常法にて表面処理すると、保存中の反応性を低下させ安定性を向上できる。水溶性高分子には、例えばポリエチレングリコール、デキストリン、キサンタンガム、デンプン、グアーガム、カラギーナン、寒天、マンナン、ゼラチン、コラーゲン、メチルセルロース、エチルセルロース、カルボキシメチルセルロース、カゼイン、アルブミン、アルギン酸塩等が挙げられ、これらを１種以上用い得る。
【００１２】
かかる炭酸塩及び有機酸の発熱体中の含有量は、それぞれ５〜６０重量％、特に１０〜４０重量％が、十分な発泡効果と発熱効果が得られるので好ましい。
【００１３】
また炭酸塩及び有機酸の発熱体中の総含有量は発熱物質の種類や含有量にもよるが、一般には５〜９０重量％、特に１０〜７５重量％が、発熱物質の凝集を十分に防止するとともに、温熱効果が得られるので好ましい。
【００１４】
本発明では、発熱体に親水性高分子を加えると、発熱物質の水和反応時の温度変化を穏やかにし、発熱体の温度をほぼ一定に制御することができる。かかる親水性高分子としては、上記の発熱物質を表面処理する場合に例示された水溶性高分子の他、例えばポリビニルピロリドン、ポリアクリルアミド、カルボキシメチルセルロース、カチオン化ヒドロキシエチルセルロース等が挙げられ、これらを１種以上用い得る。かかる親水性高分子の発熱体中の含有量は、発熱物質の表面処理に用いられる水溶性高分子以外に、例えば０．０１〜２０重量％、特に１〜１０重量％が発熱物質の凝集を十分に防止するとともに十分な温熱効果が得られ好ましい。
【００１５】
発熱体は身体に局所適用したときに３７〜５５℃に発熱するのが好ましい。また発熱体が当該温度に発熱する持続時間は、１〜６０分間であるのが好ましく、２分間以上が特に好ましい。かかる発熱体の水和反応による発熱量は、上記の発熱物質等の含有量の調整以外に混合される水分量の調整により制御できる。
【００１６】
発熱体には更に発熱体の保存安定性向上のため酸化マグネシウム、ショ糖エステル、ブドウ糖等の安定化剤、熱の放射抑制、分散安定化等のためヒドロキシプロピルセルロース、ポリペプチド、シリカ粉、タルク粉、カオリン、シリコンビーズ等の保型剤、その他ピロリドンカルボン酸塩、尿素、アミノ酸、公知の湿潤剤、防腐剤、殺菌剤、消炎剤、収斂剤、止血剤、鎮痛剤、ビタミン及びその誘導体、キレート剤、粘度調整剤、気泡剤、清涼剤、冷感剤、温感剤、動植物エキス、色素、香料等を配合できる。発熱体は上記発熱物質、炭酸塩、有機酸及び親水性高分子等を常法にて混合、撹拌、加熱、冷却等し、粉末状、クリーム状、固形状、ジェル状等任意の剤型に成形できる。
【００１７】
本発明の熱刺激治療器は、このような発熱体を、例えば通水部及び接着部を有する容器に内蔵して製造される。通水部は、例えばポリエチレン、ポリプロピレン等の通水性を有する不織布、織布、紙等からなり、接着部は、例えば身体に対して低刺激性のアクリル系樹脂等の接着剤を塗布した不織布、織布、紙等からなるのが好ましい。また、これら以外の部分は、例えばエチレン・酢酸ビニル共重合体（ＥＶＡ）、ポリエチレン等の非通水性のフィルム等であるのが好ましい。容器は、その少なくとも一部に通水部及び接着部を有するものであれば制限されないが、例えば片面が、全部又は一部が通水性の通水層で、他面が接着層からなる袋状体、円筒状容器が好ましい。その一例を図１に示した。
【００１８】
発熱体を内蔵した容器は、接着部を皮膚の局所に圧着又は接着して使用する。身体の局所に特に制限はないが、例えば肩こり、腰痛等の患部等が挙げられる。
圧着又は接着後、通水部から水を供給して発熱させる。本発明では、容器を圧着又は接着した身体の局所及びその周辺部を３７〜５５℃で温熱処理することができる。周辺部とは、温熱処理した局所周辺部である。
【００１９】
【実施例】
実施例１〜５、比較例１
表１に示す組成の発熱体を調製し、その０．５ｇを片面が非通水性の粘着面（ＥＶＡフィルムにアクリル系接着剤を塗布したもの）、もう１面が通水性の不織布（ポリエチレン）からなる直径３cm、厚さ１cmの円筒状容器（図１）に入れ、熱刺激治療器を製造した。この治療器の通水性の不織布面から水１ｇを添加し、身体の局所に貼り付けた。
【００２０】
【表１】
0004054447.tif 000002
【００２１】
比較例２
モグサ灸を身体の局所に置き、火をつけた。
【００２２】
試験例１
実施例１〜５及び比較例１〜２において、皮膚接触部分の温度を熱電対温度計にて測定した。図２は実施例１〜５の、図３は比較例１、図４は比較例２の温度経時曲線である。
【００２３】
【発明の効果】
本発明の熱刺激治療器は、火を使わずに手軽に利用でき、局所及びその周辺部で優れた温熱効果が得られる。
【図面の簡単な説明】
【図１】本発明の熱刺激治療器に用いる容器の一例を示す図である。
【図２】実施例１〜５の熱刺激治療器を使用したときの、皮膚接触部分の温度経時曲線である。
【図３】比較例１の熱刺激治療器を使用したときの、皮膚接触部分の温度経時曲線である。
【図４】モグサ灸を使用したときの、皮膚接触部分の温度経時曲線である。
【図１】
0004054447.tif 000003
【図２】
0004054447.tif 000004
【図３】
0004054447.tif 000005
【図４】
0004054447.tif 000006